(57)【要約】【課題】大量に受信したメールを、短時間にかつ効率的に検索／分類し表示することを可能とし、有害メールや迷惑メールを的確に検索／分類可能とする。【解決手段】ｎ個のフォルダ２２が設定されたｍ個のカテゴリテーブル２１がメモリ部内に設けられる。フォルダテーブル２３には、フォルダ名称、表示／非表示フラグ、複数の検索キーワードと検索位置、検索論理、検索結果メールビットマップが設定される。検索キーワードには、メールの検索を行うための文字列が設定され、検索位置には、メールタイトル、本文または送信元アドレスの何れか、または、その組合せが設定される。検索論理は、検索論理のパターンを、ｏｒまたはａｎｄにより設定される。そして、受信メールの内容とフォルダの内容とにより、受信メールを検索／分類する。【選択図】      図２
2005202598.tif 000002
【特許請求の範囲】
【請求項１】
メールを受信する手段と、この受信手段により受信したメールを格納する記憶手段と、この記憶手段に格納された受信メールを表示する表示手段とを備えた端末装置において、
前記記憶手段内には、受信メールを検索、分類するための複数のカテゴリ及び複数のカテゴリのそれぞれの中に設定される複数のフォルダが設定されており、前記受信したメールを前記記憶手段に格納したとき、受信メールの内容及び前記フォルダの内容に従って、前記受信メールが、前記フォルダのどのフォルダに該当するかを分類する検索、分類手段と、該当するフォルダにその受信メールの格納位置の情報を登録する手段とを備え、前記表示手段は、複数のカテゴリから選択したカテゴリ中の複数個のフォルダを表示することを特徴とする端末装置。
【請求項２】
前記フォルダのそれぞれには、受信メールを検索し分類するための検索キーワード、検索位置、検索論理が設定されており、前記分類、検索手段は、前記受信メールについて、前記フォルダのそれぞれに設定されている検索キーワード、検索位置、検索論理に従って前記受信メールの内容を検索して、受信メールを分類することを特徴とする請求項１記載の端末装置。
【請求項３】
前記フォルダのそれぞれには、フォルダを表示するか、非表示とするか、パスワード入力後表示可能とするかを示す表示／非表示の情報が設定されており、前記表示手段は、選択したカテゴリ中の複数個のフォルダを表示する際、前記設定された表示／非表示の情報に従って、個々のフォルダの表示／非表示の制御を行うことを特徴とする請求項１または２記載の端末装置。
【請求項４】
前記表示手段は、選択したカテゴリ中の複数個のフォルダを表示する際、現在表示中の画面内に別のカテゴリへ表示を切り替えるための切替ボタンを表示し、その切替ボタンが操作されたとき、カテゴリを切り替えて表示することを特徴とする請求項１、２または３記載の端末装置。
【発明の詳細な説明】
【技術分野】
【０００１】
本発明は、端末装置に係り、特に、メール受信機能を備えた携帯電話機や携帯情報端末機等の端末装置に関する。
【背景技術】
【０００２】
近年、携帯電話機や携帯情報端末機等の端末装置は、その機能向上が目覚しく、メールの送受信が可能となり、料金体系がデータ課金体系となっているため、通常の携帯電話の通話料金よりも安価なため、爆発的に利用者数が増加している。また、メールの送受信が可能となったことにより、企業内のメールシステムが受信したメールを、携帯電話機や携帯情報端末機等の端末装置に転送することにより、利用者は、外出先でも簡単に、企業内のメールシステムが受信した個人宛のメールをその個人の携帯電話機で参照し回答することが可能である。このため、今後、益々、携帯電話機や携帯情報端末機等の端末装置でのメールの送受信頻度が増加していくと考えられる。
【０００３】
この結果、大量に受信したメールを、短時間にかつ効率的に検索、分類し、返信、転送等のアクションを行う必要が出てくる。現状の携帯電話機で利用されている受信メールの検索、分類の方法としては、携帯電話機の電子電話帳に名前や電話番号やメールアドレスを登録し、その属性としてグループ名称（例えば、「お友達」、「会社同僚」、「Ａ社関係」、等々）を登録しておくことにより、そのグループ名称で受信したメールを検索して、該当の受信メールのみを分類表示するという方法が一般的である。
【０００４】
また、不特定多数の相手に無秩序に送信される迷惑メールという問題も、大量に受信したメールを如何にして検索するか、という課題において重要な問題である。このような迷惑メールに対する問題を解決することができる従来技術として、例えば、迷惑メールの自動削除機能を有する携帯電話機及び通信端末機に関する技術が特許文献１等に記載されて知られている。この従来技術は、受信メールの本文中に含まれるキーワードの個数をチェックすることにより、その個数がある設定値以上の場合、そのメールを迷惑メールと判断して、自動的に受信メールの登録から削除するというものである。
【０００５】
また、メール受信数が膨大になるに従い、受信したメールを第三者に見られたくない場合や、若年層にとって有害なメール（性、暴力、ドラッグ、等の情報を含むメール）は、携帯電話機や携帯情報端末機の使用者が若年層の場合には、あえて非表示として参照することができなくするように配慮する必要がある。このために、受信したメールをシークレットメールとして設定し、そのメールを非表示にするような方法が、例えば、特許文献２等に記載されて知られている。
【特許文献１】特開２００３−１５７２１８公報
【特許文献２】特開２００２−３７３１４０公報
【発明の開示】
【発明が解決しようとする課題】
【０００６】
しかし、前述した現状の携帯電話機で利用される受信メールの検索方法は、送信元メールアドレスに着目した検索であり、メールのタイトルや本文の内容に着目して、より効果的な検索、分類を行うことができるものではないという問題点を有している。また、特許文献１に記載された従来技術は、キーワード及びその個数によって検索されたメールが自動的に削除されてしまい、指定された個数以上のキーワードが存在している場合にでも、有用と判断されるメールが誤って削除されてしまうという問題点が内在している。さらに、特許文献２に記載された従来技術は、受信したメールについて、そのメールをシークレットメールとして設定するのは携帯電話機や携帯情報端末機の使用者であり、若年層への有害メールの非表示という要求に応えることができるものではないという問題点を有している。また、この従来技術は、受信メールを一覧表示しようとした場合、シークレットメールやそれ以外のメールを全て表示してしまうため、シークレットメールのみを検索、分類して表示することができないという問題点をも有している。
【０００７】
本発明の目的は、前述した従来技術の問題点を解決し、大量に受信したメールを、短時間にかつ効率的に検索、分類すること、及び、必要なメールを前記分類に従って的確に表示することを可能にし、有害メールや迷惑メールを的確に検索、分類することを可能にした携帯電話機や携帯情報端末機等の端末装置を提供することにある。
【課題を解決するための手段】
【０００８】
本発明によれば前記目的は、メールを受信する手段と、この受信手段により受信したメールを格納する記憶手段と、この記憶手段に格納された受信メールを表示する表示手段とを備えた端末装置において、前記記憶手段内には、受信メールを検索、分類するための複数のカテゴリ及び複数のカテゴリのそれぞれの中に設定される複数のフォルダが設定されており、前記受信したメールを前記記憶手段に格納したとき、受信メールの内容及び前記フォルダの内容に従って、前記受信メールが、前記フォルダのどのフォルダに該当するかを分類する検索、分類手段と、該当するフォルダにその受信メールの格納位置の情報を登録する手段とを備え、前記表示手段が、複数のカテゴリから選択したカテゴリ中の複数個のフォルダを表示することにより達成される。
【０００９】
前述において、フォルダのそれぞれには、受信メールを検索し分類するための検索キーワード、検索位置、検索論理が設定されており、前記分類手段は、前記受信メールについて、前記フォルダのそれぞれに設定されている検索キーワード、検索位置、検索論理に従って前記受信メールの内容を検索して受信メールを分類する。
【発明の効果】
【００１０】
本発明によれば、受信したメールをカテゴリ毎の、また、カテゴリ内フォルダ毎の異なった観点から検索、分類することができ、また、受信したメールを複数の観点から検索表示することが可能となる。また、有害メールや迷惑メールを検索し、そのフォルダ単位で非表示／パスワード付きアクセスとして管理することが可能となる。
【発明を実施するための最良の形態】
【００１１】
以下、本発明による端末装置の実施形態を図面により詳細に説明する。
【００１２】
図１は本発明の一実施形態による端末装置の機能構成を示すブロック図である。図１に示す本発明の実施形態は、本発明をメール受信機能を備えた携帯電話機に適用した場合の例である。図１において、１１はアンテナ、１２は無線部、１３は表示部、１４はマイクロフォン、１５はスピーカ、１６は制御部、１７は操作部、１８はメモリ部である。
【００１３】
本発明の実施形態による端末装置は、アンテナ１１、図示しない基地局との間でのアンテナ１１を介した無線による通信を制御する無線部１２、操作メニュー等の情報及び受信したメールの内容を表示する表示部１３、通話に使用するマイクロフォン１４及びスピーカ１５、装置全体の制御を行う制御部１６、テンキー、機能キー等を備えた操作部１７、装置の制御に必要なプログラム、受信したメール等を格納するメモリ部１８を備えて構成されている。
【００１４】
前述したように構成される端末装置において、メールは、無線部１２を通して受信され、制御部１６によりメモリ部１８に格納される。メモリ部１８には、カテゴリやフォルダの構成を設定するデータが格納されており、受信したメールは、メモリ部１８に格納されると共に、カテゴリやホォルダの設定に従って分類される。表示部１３は、カテゴリ毎に設定された複数のフォルダを表示し、フォルダを選択することにより検索、分類された受信メールを表示する。
【００１５】
図２はメモリ部１８の内部に構成されるカテゴリ及びフォルダの構成例を説明する図であり、次に、これについて説明する。
【００１６】
本発明の実施形態は、受信したメールを複数のカテゴリ、各カテゴリ内の複数のフォルダに分類することとしているため、ｍ個のカテゴリテーブル２１がメモリ部１８内に設けられ、１個のカテゴリテーブルは、その中にｎ個のフォルダ２２を設定可能とされている。フォルダ２２には、１個のフォルダテーブル２３が対応している。フォルダテーブルには、フォルダ名称、表示／非表示フラグ、複数の検索キーワードと検索位置、検索論理、検索結果メールビットマップが設定される。前述において、フォルダ名称には、フォルダの名称が設定される。表示／非表示フラグには、このフォルダを表示するか否かまたはパスワード付きのアクセスとするかの表示形態の種別が設定される。検索キーワードには、メールの検索を行うための文字列が設定される。この検索用の文字列は、メールアドレス等でもよく、ワイルドカードを含んでもよい。検索位置には、メールタイトル、本文または送信元アドレスの何れか、または、その組合せが設定される。ここでの検索キーワードと検索位置との組合せは、ｋ個設定することが可能である。検索論理は、ｋ個の検索キーワードと検索位置との組合せにおいて、検索論理のパターンを、ｏｒ（論理和）またはａｎｄ（論理積）により設定する。
【００１７】
検索結果メールビットマップは、検索を行った結果で、そのメールがこのフォルダに該当する場合に、該当のメールがメール登録テーブル２４の何番目のメールテーブルに格納されたメールであるかを示すメール番号をビットマップにより設定するものである。本発明の実施形態は、後述するように、メール登録テーブルがｊ個備えるとしているので、検索結果メールビットマップは、ｊビットで構成されることになる。さらに、前述からも判るように、メモリ部１８には、受信されたメール自体が格納されるｊ個のメール登録テーブル２４を有している。
【００１８】
なお、１つのメール登録テーブル２４のメールの格納容量は、一定の大きさであってよい。メモリ部１８の記憶容量を効率的に利用するために、１つのメールの格納容量を可変とすることもできるが、その場合、メール登録テーブル２４に、メールヘッダと、メール本体の格納位置を示すポインタ及びメール長のデータとを格納し、メール本体の格納領域を別に設けるようにすればよい。また、前述したｊ〜ｎのパラメータは、図１に示すメモリ部１８におけるメール受信用に使用可能なメモリ容量に従って決定すればよい。
【００１９】
図３は図２により説明したカテゴリ及びフォルダに、２つのカテゴリ“お友達”、“仕事”を構成した場合の具体例を示す図であり、次に、これについて説明する。
【００２０】
図３に示す例では、カテゴリ“お友達”の場合、受信メールの送信元アドレスの検索を行いフォルダ毎にメールの検索／分類を行っている。カテゴリ“お友達”のフォルダ１には、フォルダ名称として“山田さん”を、表示／非表示フラグとして“表示”を設定し、検索キーワードとして“yamada@….…”、検索位置として送信元アドレスを設定している。これにより、送信元アドレスが“yamada@….…”となっている受信メールがこのフォルダに検索／分類されることになる。また、カテゴリ“お友達”のフォルダ２には、フォルダ名称として“井上さん”を、表示／非表示フラグとして“表示”を設定し、検索キーワードとして “inoue@….…”、検索位置として送信元アドレスを設定している。これにより、送信元アドレスが “inoue@….…”となっている受信メールがこのフォルダに検索／分類されることになる。
【００２１】
また、カテゴリ“仕事”の場合、タイトルまたは本文の内容の検索を行いフォルダ毎にメールの検索／分類を行っている。カテゴリ“仕事”のフォルダ１には、フォルダ名称として“特許”を、表示／非表示フラグとして“表示”を設定し、検索キーワード１として“特許”、検索位置１としてタイトルまたは本文を設定し、検索キーワード２として“パテント”、検索位置２としてタイトルまたは本文を設定し、さらに、検索論理としてｏｒを設定している。これにより、タイトルまたは本文に、“特許”または“パテント”が含まれている受信メールがこのフォルダに検索／分類されることになる。カテゴリ“仕事”のフォルダ２には、フォルダ名称として“予算”を、表示／非表示フラグとして“表示”を設定、検索キーワード１として“予算”、検索位置１としてタイトルまたは本文を設定し、検索キーワード２として“業績”、検索位置２としてタイトルまたは本文を設定し、さらに、検索論理としてｏｒを設定している。これにより、タイトルまた本文に“予算”または“業績”が含まれている受信メールがこのフォルダに検索／分類されることになる。
【００２２】
図４はカテゴリ“お友達”として発信元アドレスで検索／分類する際のフォルダｎに対するフォルダテーブルの設定方法の例を説明する図である。本発明の実施形態は、フォルダ１〜フォルダｎ−１の検索／分類に該当しないメールをフォルダｎに集約して設定することとしている。
【００２３】
そして、カテゴリ“お友達”のフォルダｎのフォルダテーブル４３には、フォルダ名称として“上記以外”を、表示／非表示フラグとして“表示”を設定し、検索キーワードとしてワイルドカードを示す“＊”、検索位置として“送信元アドレス”を設定している。これにより、フォルダ１〜フォルダｎ−１に該当しない送信元アドレスを有する受信メールがこのフォルダｎに検索／分類されることになる。
【００２４】
図５は有害メールや迷惑メールを検索／分類するファルダの例を説明する図である。図５に示す例は、カテゴリ“遊び”５１の中のフォルダｎ−２、ｎ−１のそれぞれに、有害メールと迷惑メールとを検索／部類することとしている。
【００２５】
そして、有害メールを検索／部類するフォルダｎ−２のフォルダテーブル５２には、フォルダ名称として“有害”を、表示／非表示フラグとして“パスワード付きアクセス”を設定し、検索キーワード１として“セックス”、検索位置１として“タイトルまた本文”を設定し、検索キーワード２として“暴力”、検索位置２として“タイトルまたは本文”を設定し、さらに、検索論理としてｏｒを設定している。これにより、タイトルまたは本文に“セックス”または“暴力”が含まれている受信メールがこのフォルダに検索／分類されることとなり、このフォルダ自体は、パスワードを入力しないとこのフォルダに検索／分類されたメールの参照を行うことができないことになる。
【００２６】
また、迷惑メールを検索／分類するフォルダｎ−１のフォルダテーブル５３には、フォルダ名称として“迷惑”を、表示／非表示フラグとして“非表示”を設定し、検索キーワード１として“エッチ”、検索位置１として“タイトルまたは本文”を設定し、検索キーワード２として“交際”、検索位置２として“タイトルまたは本文”を設定し、さらに、検索論理としてｏｒを設定している。これにより、タイトルまたは本文に“エッチ”または“交際”が含まれている受信メールがこのフォルダに検索／分類され、このフォルダ自体（フォルダ名）は、表示されても、その内容は非表示となって参照することができないことになる。
【００２７】
図６は図３〜図５により説明したカテゴリとフォルダとの設定の例に従い、カテゴリ“お友達”、カテゴリ“仕事”、カテゴリ“遊び”の各カテゴリ毎に、その中に設定されているフォルダを表示部に表示した例を示す図である。なお、カテゴリの最初の表示は、操作部１７のキー操作等により、公知のメールを読むための方法に従って行われる。
【００２８】
図６に示す表示例の表示画面６１〜６３の中には、別カテゴリボタンがファンクションボタンとして表示されており、このボタンを押下することにより、次のカテゴリに表示を切り替えることができる。また、表示画面の中には、選択ボタンがファンクションボタンとして表示されており、この選択ボタンによりフォルダを選択することができる。そして、フォルダを選択した状態で、表示画面の中にファンクションボタンとして表示されている削除ボタンを押下することにより、選択したフォルダに検索／分類されている全メールを削除することができる。
【００２９】
また、図示していないが、フォルダを選択した状態で、決定あるいは表示等のボタンが表示される。このボタンを押下することにより、選択したフォルダに検索／分類されている全メールを表示させることができ、さらに、前述と同様にして、１つのメールを選択することにより、そのメールの内容を表示させることができる。このメールは、表示されている削除ボタンにより削除することもできる。図に示す表示例におけるカテゴリ“遊び”の表示画面では、フォルダ“有害”にはパスワード付きアクセスが設定されているので、パスワード入力を条件として表示されている。また、フォルダ“迷惑”は非表示の設定となっているため、フォルダ自体の表示は行われるが、その内容を表示することはできず、削除ボタンによりそのフォルダに検索／分類されている全メールを削除することだけができる。
【００３０】
図７はメールを１件受信した際の本発明の実施形態での検索／分類の処理動作を説明するフローチャートであり、次に、これについて説明する。
【００３１】
（１）１件のメールが受信されると、まず、その受信したメールをメール登録テーブル２４の空きエリアに登録し、最初のカテゴリテーブルを設定して、カテゴリテーブルのｍ個のテーブルの全てについて検索終了したか否かを判定し、全てのカテゴリについて検索が終了していた場合、ここでの処理を終了する（ステップ７０１、７０２）。
【００３２】
（２）ステップ７０２の判定で、まだ検索が終了していなかった場合、現在検索しているカテゴリテーブル内の全フォルダのｎ個の検索が終了しているか否かを判定し、ｎ個のフォルダの全ての検索が終了していた場合、次のカテゴリテーブルに移動し、フォルダ１の検索からの処理を行う設定をして、ステップ７０２からの処理に戻って処理を続ける（ステップ７０３、７０４）。
【００３３】
（３）ステップ７０４の判定で、ｎ個のフォルダの全ての検索が終了していなかった場合、そのフォルダに設定された検索キーワードによる受信メールの検索が全て終了した否かを判定する（ステップ７０５）。
【００３４】
（４）ステップ７０５の判定で、そのフォルダに設定された検索キーワードによる検索が全て終了していた場合、検索論理がａｎｄであるか否かを判定し、ａｎｄであった場合、そのフォルダの全ての検索キーワードが検出されている場合なので、該当メールの受信メール番号を検索結果メールビットマップへ登録し、検索を行うフォルダを更新して、ステップ７０２からの処理に戻って処理を続ける（ステップ７０６、７１３、７１４）。
【００３５】
（５）ステップ７０６の判定で、検索論理がａｎｄでなかった場合、検索を行うフォルダを更新して、ステップ７０２からの処理に戻って処理を続ける（ステップ７１１）。
【００３６】
（６）ステップ７０５の判定で、そのフォルダに設定された検索キーワードによる検索の全てが完了していなかった場合、指定されたメールの中の検索位置で、検索キーワードによる検索を行い、検索キーワードが検索されたか否かを判定をする（ステップ７０７、７０８）。
【００３７】
（７）ステップ７０８の判定で、検索キーワードが見つかっていた場合、検索論理がｏｒであるか否かを判定し、検索論理がｏｒであれば、その検索キーワードが１個でも検索されたことが判明したので、該当メールの受信メール番号を検索結果メールビットマップへ登録し、検索を行うフォルダを更新して、ステップ７０２からの処理に戻って処理を続ける（ステップ７１０、７１３、７１４）。
【００３８】
（８）ステップ７１０の判定で、検索論理がｏｒでなかった場合、すなわち、ステップ７８の判定で検索キーワードが見つかった場合で、ステップ７１０の判定で、検索論理がａｎｄであった場合、次の検索キーワードの検索を行うために、次の検索キーワードに更新を行って、ステップ７０２からの処理に戻って処理を続ける（ステップ７１２）。
【００３９】
（９）ステップ７０８の判定で、検索キーワードが見つからなかった場合、検索論理がｏｒであるか否かを判定し、検索論理がｏｒであった場合、次の検索キーワードの検索を行うために、検索キーワードに更新を行い、また、検索論理がｏｒでなかった場合、すなわち、検索論理がａｎｄであった場合、これ以上このフォルダの検索を行う意味がないので、フォルダの更新を行って、ステップ７０２からの処理に戻って処理を続ける（ステップ７０９、７１２、７１１）。
【００４０】
前述した処理を行うことにより、１つのフォルダテーブルに複数のメールが分類され、また、１つのメールであっても複数のフォルダに検索／分類されることがある。この場合にも、メールの内容そのものは、メール登録テーブル２４の１つの場所に登録されればよく、該当するフォルダテーブルの検索結果メールビットマップにメールの登録位置が記録される。
【００４１】
図８はカテゴリテーブルを表示する際の本発明の実施形態での処理動作を説明するフローチャートであり、次に、これについて説明する。
【００４２】
（１）まず、表示対象としているカテゴリのフォルダ１を表示対象として設定し、ｎ個目のフォルダまでのそのカテゴリの全フォルダの表示が終了したか否かを判定し、ｎ個目のフォルダまで表示が終了していれば、ここでの処理を終了する（ステップ８０１、８０２）
（２）ステップ８０２の判定で、ｎ個目のフォルダまでの表示が終了してなかった場合、フォルダ名称を表示し、この表示の処理後、表示対象のフォルダを次のフォルダに更新し、ステップ８０２からの処理に戻って処理を繰り返す（ステップ８０３、８０４）。
【００４３】
前述した処理により、図６により説明した表示画面の例のような１つカテゴリの中に設定されているフォルダが表示部に表示されることになる。
【００４４】
図９はメールを１件削除した際の本発明の実施形態での処理動作を説明するフローチャートであり、次に、これについて説明する。
【００４５】
（１）まず、ユーザが１件のメールを選択して削除ボタンにより削除を指示すると、削除するメールをメール登録テーブルから削除する。その後、削除したメールのメール番号を全てのフォルダの検索結果メールビットマップから削除するための処理が開始される（ステップ９０１）。
【００４６】
（２）ステップ９０１での削除するメールをメール登録テーブルから削除する処理の後、カテゴリテーブルのｍ個までの検索を終了したか否かを判定し、検索が終了していた場合、ここでの処理を終了する（ステップ９０２）。
【００４７】
（３）ステップ９０２の判定で、カテゴリテーブルのｍ個まで検索が終了していなかった場合、そのカテゴリのフォルダのｎ番目までチェックが終了したか否かを判定し、終了していた場合、次のカテゴリテーブルへ移動してチェック対象をフォルダ１に設定し、ステップ９０２からの処理に戻って処理を続ける（ステップ９０３、９０４）。
【００４８】
（４）ステップ９０３の判定で、フォルダのｎ番目までチェックが終了していなかった場合、そのフォルダの検索結果メールビットマップに削除するメール番号が有るか否かを判定し、該当するメール番号があった場合、検索結果メールビットマップから削除するメールのメール番号のビットを削除する（ステップ９０５、９０６）。
【００４９】
（５）ステップ９０６の処理後、または、ステップ９０５の判定で、そのフォルダの検索結果メールビットマップに削除するメール番号がなかった場合、チェックする対象のフォルダを次のフォルダに更新して、ステップ９０２からの処理に戻って処理を続ける（ステップ９０７）。
【００５０】
前述した本発明の実施形態における各処理は、処理プログラムとして構成することができ、この処理プログラムは、ＨＤ、ＤＡＴ、ＦＤ、ＭＯ、ＤＶＤ−ＲＯＭ、ＣＤ−ＲＯＭ等の記録媒体に格納して提供することができ、また、インターネットを含む公衆通信網等の通信回線を介して提供することもできる。
【００５１】
前述した本発明の実施形態によれば、複数のカテゴリ及び複数のカテゴリのそれぞれの中に設定される複数のフォルダを設定し、フォルダに設定された内容に従って受信したメールを検索分類することにより、受信したメールをカテゴリ毎の、また、カテゴリ内フォルダ毎の異なった観点から検索、分類することができ、また、フォルダの表示／非表示フラグや検索キーワードの適切な設定により、有害メールや迷惑メールを検索し、そのフォルダ単位で非表示／パスワード付きアクセスとして管理することが可能となる。
【００５２】
前述した本発明の実施形態は、本発明を携帯電話機に適用したものとして説明したが、本発明は、メール受信機能を備えるものであればどのように端末装置、例えば、携帯情報端末機、ＰＣ等にも適用することができる。
【図面の簡単な説明】
【００５３】
【図１】本発明の一実施形態による端末装置の機能構成を示すブロック図である。
【図２】メモリ部の内部に構成されるカテゴリ及びフォルダの構成例を説明する図である。
【図３】図２により説明したカテゴリ及びフォルダに、２つのカテゴリ“お友達”、“仕事”を構成した場合の具体例を示す図である。
【図４】カテゴリ“お友達”として発信元アドレスで検索／分類する際のフォルダｎに対するフォルダテーブルの設定方法の例を説明する図である。
【図５】有害メールや迷惑メールを検索／分類するファルダの例を説明する図である。
【図６】カテゴリとフォルダとの設定の例に従い、カテゴリ“お友達”、カテゴリ“仕事”、カテゴリ“遊び”の各カテゴリ毎に、その中に設定されているフォルダを表示部に表示した例を示す図である。
【図７】メールを１件受信した際の本発明の実施形態での検索／分類の処理動作を説明するフローチャートである。
【図８】カテゴリテーブルを表示する際の本発明の実施形態での処理動作を説明するフローチャートである。
【図９】メールを１件削除した際の本発明の実施形態での処理動作を説明するフローチャートである。
【符号の説明】
【００５４】
１１  アンテナ
１２  無線部
１３  表示部
１４  マイクロフォン
１５  スピーカ
１６  制御部
１７  操作部
１８  メモリ部
２１、５１  カテゴリテーブル
２２  フォルダ
２３、４３、５２、５３  フォルダテーブル
６１  カテゴリ”お友達”の表示画面例
６２  カテゴリ”仕事”の表示画面例
６３  カテゴリ”遊び”の表示画面例
【図１】
2005202598.tif 000003
【図２】
2005202598.tif 000004
【図３】
2005202598.tif 000005
【図４】
2005202598.tif 000006
【図５】
2005202598.tif 000007
【図６】
2005202598.tif 000008
【図７】
2005202598.tif 000009
【図８】
2005202598.tif 000010
【図９】
2005202598.tif 000011